(57)【要約】      （修正有）【課題】水田の株間部分や条間部分に生えている雑草の除草作業時に稲を傷つけてしまうことを防止する除草用回転刃を提供する。【解決手段】平板状に形成された基部１０と、基部１０の下面から突出する刃部１１とを含み、回転軸線Ｌ周りに回転させることによって刃部１１が雑草の刈り払いを行うように構成された回転刃本体１と、回転軸線Ｌ方向から見て中心が回転軸線Ｌ上に位置する円形の外周縁を有し、且つ回転軸線と直交する方向において外周縁２ａが回転刃本体１よりも外側に位置する保護部２と、を備える。【選択図】図１
0003184608.tif 000002
【実用新案登録請求の範囲】
【請求項１】
平板状に形成された基部と、前記基部の下面から突出する刃部とを含み、回転軸線周りに回転させることによって前記刃部が雑草の刈り払いを行うように構成された回転刃本体と、
前記回転軸線方向から見て中心が前記回転軸線上に位置する円形の外周縁を有し、且つ前記回転軸線と直交する方向において該外周縁が前記回転刃本体よりも外側に位置する保護部と、を備える、除草用回転刃。
【請求項２】
前記保護部は、前記刃部を覆うように設けられている、請求項１に記載の除草用回転刃。
【請求項３】
前記刃部は、先端部が前記回転軸線と直交する方向において基端部よりも外側に位置するように形成され、前記回転軸線と直交する方向において基端部から先端部に向かうに従って前記基部の延在面から離れる方向に前記基部に対して傾斜する、請求項１又は２に記載の除草用回転刃。
【請求項４】
前記回転刃本体は、複数の前記刃部を備え、
前記複数の刃部は、前記回転軸線を中心とする円周方向に等間隔に配列されている、請求項１乃至３の何れかに記載の除草用回転刃。
【請求項５】
前記保護部は樹脂製である、請求項１乃至４の何れかに記載の除草用回転刃。
【考案の詳細な説明】
【技術分野】
【０００１】
本考案は、刈払機に装着して用いられる除草用回転刃に関する。
【背景技術】
【０００２】
従来、刈払機に装着して用いられる回転刃が知られている（例えば、特許文献１参照）。
【０００３】
この回転刃は、平板の角を下方に折り曲げて形成した刃を有する。
【先行技術文献】
【特許文献】
【０００４】
【特許文献１】特開２００９―２９７０１５号公報
【考案の概要】
【考案が解決しようとする課題】
【０００５】
しかし、上記従来の回転刃は、水田の株間部分や条間部分に生えている雑草の除草作業においては、稲と回転刃とが接触し、これによって稲を傷つけてしまうことがあるという問題があった。
【課題を解決するための手段】
【０００６】
上記課題を解決するために、本考案のある態様に係る除草用回転刃は、平板状に形成された基部と、前記基部の下面から突出する刃部とを含み、回転軸線周りに回転させることによって前記刃部が雑草の刈り払いを行うように構成された回転刃本体と、前記回転軸線方向から見て中心が前記回転軸線上に位置する円形の外周縁を有し、且つ前記回転軸線と直交する方向において該外周縁が前記回転刃本体よりも外側に位置する保護部と、を備える。
【０００７】
この構成によれば、水田の株間部分及び条間部分の泥土に生えている雑草の除草作業時に、除草用回転刃の刃部と稲との接近を保護部の外周縁が規制する。これによって、回転する刃部が稲を傷つけることを防止することができる。よって、水田の除草作業の作業効率を向上させることができる。
【０００８】
前記保護部は、前記刃部を覆うように設けられていてもよい。
【０００９】
これによって、回転する除草用回転刃が水田の水及び泥土を跳ね上げることを防ぐことができる。
【００１０】
前記刃部は、先端部が前記回転軸線と直交する方向において基端部よりも外側に位置するように形成され、前記回転軸線と直交する方向において基端部から先端部に向かうに従って前記基部の延在面から離れる方向に前記基部に対して傾斜していてもよい。
【００１１】
これによって、回転軸線周りに除草用回転刃を回転させることによって、回転軸線方向から見て、刃部の刃の軌跡が面となる。よって、除草作業の作業効率を高めることができる。
【００１２】
前記回転刃本体は、複数の前記刃部を備え、前記複数の刃部は、前記回転軸線を中心とする円周方向に等間隔に配列されていてもよい。
【００１３】
これによって、除草作業の作業効率を高めることができる。
【００１４】
前記保護部は樹脂製であってもよい。
【００１５】
これによって、除草用回転刃を軽量化することができ、除草作業の作業性を向上させることができる。
【考案の効果】
【００１６】
本考案は、以上に説明したように構成され、水田の株間部分や条間部分に生えている雑草の除草作業時に稲を傷つけてしまうことを防止するという効果を奏する。
【図面の簡単な説明】
【００１７】
【図１】本考案の実施の形態１に係る除草用回転刃を取り付けた刈払機の先端部の構成例を示す一部破断側面図である。
【図２】図１の刈払機の先端部の構成例を示す一部破断分解側面部である。
【図３】図１の除草用回転刃の構成例を示す底面図である。
【図４】図１の除草用回転刃を取り付けた刈払機の使用例を示す図である。
【図５】本考案の実施の形態２に係る除草用回転刃を取り付けた刈払機の先端部の構成例を示す一部破断側面図である。
【図６】本考案の実施の形態３に係る除草用回転刃を取り付けた刈払機の先端部の構成例を示す一部破断分解側面図である。
【図７】図６の除草用回転刃の構成例を示す底面図である。
【考案を実施するための形態】
【００１８】
以下、本考案の実施の形態を、図面を参照しながら説明する。なお、以下では全ての図を通じて同一又は相当する要素には同じ参照符号を付して、その重複する説明を省略する。
【００１９】
（実施の形態１）
［構成］
図１は、本考案の実施の形態１に係る除草用回転刃１００を取り付けた刈払機１１０の先端部の構成例を示す一部破断側面図である。図２は、図１の刈払機１１０の先端部の構成例を示す一部破断分解側面図である。
【００２０】
図１及び図２に示すように、本実施の形態の除草用回転刃１００は、刈払機１１０の先端部に取り付けられて使用される。
【００２１】
刈払機１１０は、基端部に図示しない原動機が設けられ、先端部にギヤケース１１１が設けられている。そして、原動機とギヤケース１１１とを中空円筒状の杆１１２が連結している。杆１１２の内部には、原動機によって回転駆動される図示しない伝達軸が杆１１２に対して回動自在に設けられている。また、ギヤケース１１１の内部には、伝達軸の先端部と連結された装着軸１１３がギヤケース１１１に対して回動自在に設けられている。そして、上面側カバー１１４を除草用回転刃１００の上面側に配置すると共に、下面側カバー１１５を除草用回転刃１００の下面側に配置する。そして、後述する除草用回転刃１００の孔１２、並びに上面側カバー１１４及び下面側カバー１１５の中心部に形成されている孔にボルト１１６を挿通すると共に、装着軸１１３に螺合させ、除草用回転刃１００、上面側カバー１１４及び下面側カバー１１５を共締めする。これによって、除草用回転刃１００は、後述する基部１０が上面側カバー１１４及び下面側カバー１１５に挟まれた状態で装着軸１１３に固着される。そして、原動機の駆動力により装着軸１１３がその回転軸線Ｌ周りに回転駆動されることによって、装着軸１１３に固着されている除草用回転刃１００は、回転軸線Ｌ周りに所定の回転方向に回転駆動される。以下、この除草用回転刃１００の回転方向を回転駆動方向ということがある。刈払機１１０は、周知の刈払機で構成されるのでこれ以上の説明を省略する。
【００２２】
図３は、図１の除草用回転刃１００の底面図である。
【００２３】
図１〜図３に示すように、除草用回転刃１００は、回転刃本体１と、保護カバー（保護部）２とを有する。なお、以下では除草用回転刃１００を刈払機１１０に装着した際に、ギヤケース１１１側を上ということがあり、他方を下ということがある。
【００２４】
回転刃本体１は、ステンレス製である。これによって、回転刃本体１が錆びることを防止することができる。
【００２５】
そして、回転刃本体１は、基部１０と、複数の刃部１１とを含む。本実施の形態において、回転刃本体１の径は、略１３ｃｍに形成されている。これによって、稲の株と株との間隔が２０ｃｍ〜３０ｃｍである一般的な水田において、水田の株間部分や条間部分に生えている雑草の除草作業を容易に行うことができる。
【００２６】
基部１０は、平板状に形成されている。
【００２７】
そして、基部１０の上面と下面とを接続する孔１２が基部１０の中心部に形成されている。この孔１２は、上記刈払機１１０のボルト１１６が挿通される孔である。そして、除草用回転刃１００は、上述の通り、基部１０が上面側カバー１１４及び下面側カバー１１５に挟まれた状態で装着軸１１３に固着される。したがって、除草用回転刃１００を刈払機１１０に取り付けた状態において、回転軸線Ｌは、孔１２を通る。
【００２８】
複数の刃部１１は、回転軸線Ｌを中心とする円周方向に等間隔に配列されている。本実施の形態において、回転刃本体１は、６個の刃部１１を有する。これによって、除草作業の作業効率を高めることができる。
【００２９】
刃部１１は、基部１０の下面から突出するように形成され、先端部１１ｂが回転軸線Ｌと直交する方向において基部１０に連なる基端部１１ａよりも外側に位置するように形成されている。そして、刃部１１は、回転軸線Ｌと直交する方向において基端部１１ａから先端部１１ｂに向かうに従って基部１０の延在面から離れる方向に基部１０に対して傾斜している。したがって、回転軸線Ｌ周りに除草用回転刃１００を回転させると、回転軸線Ｌ方向から見て、刃部１１の刃の軌跡が面を描くように構成されている。これによって、除草作業の作業効率を高めることができる。本実施の形態において、刃部１１は、基部１０となす角度が略４５度になるように回転刃本体１の周縁部を下方に折り曲げて形成されている。また、本実施の形態において、基部１０と刃部１１の先端部１１ｂとの間隔、即ち基部１０の下面に対する刃部１１の先端部１１ｂの高さ寸法は、略１５ｍｍに形成されているがこれに限られるものではない。
【００３０】
また、刃部１１は、回転軸線Ｌと直交する方向において、内側から外側に向かうに従って先細りとなるように形成されている。そして、刃部１１の先端部１１ｂの回転駆動方向側に刃１４が形成されている。すなわち、刃１４は、回転軸線Ｌと交差する方向に延在している。したがって、回転軸線Ｌ周りに回転刃本体１を回転させることによって、刃１４と雑草が接触し、雑草が刈り払いが行われるように構成されている。この刃１４は、刃部１１の縁部を研磨することによって形成されているがこれに限られるものではない。
【００３１】
更に、刃部１１は、回転軸線Ｌ方向から見て、回転駆動方向の幅が略２５ｍｍに形成されている。これによって、除草用回転刃１００の回転によって生じる水流によって除草用回転刃１００が水中に引き込まれ、作業効率が低下することを防止することができる。なお、刃部１１の幅は上記寸法に限られるものではない。
【００３２】
また、図３に示すように、回転刃本体１の円周方向に隣り合う刃部１１と刃部１１との間の周縁には、回転軸線Ｌ方向と直交する方向、即ち、除草用回転刃１００の径方向において、外側に向かって突出する凸部１５が形成されている。凸部１５には、回転刃本体１の上面と下面を連結する孔１８が形成されている。
【００３３】
回転刃本体１の回転軸線方向に配設されている。本実施の形態において、保護カバー２は、回転刃本体１の上方に隣接して配設されている。
【００３４】
また、保護カバー２は、樹脂製であり、これによって、例えば、保護カバー２がステンレス製であるときと比較して、軽量化することができ、除草作業の作業性を向上させることができる。
【００３５】
そして、保護カバー２は、回転軸線Ｌ方向から見て環形の平板状に形成されている。すなわち、保護カバー２は、外周縁２ａが円形に形成されている。これによって、除草用回転刃１００の回転時において、外周縁２ａに当接した稲が外周縁２ａに引っ掛かり、稲が傷ついたり切断されたりすることを防止することができる。
【００３６】
そして、保護カバー２の上面と下面とを連結する複数の孔２０が形成されている。複数の孔２０は、それぞれ回転刃本体１の孔１８の上方に形成されている。そして、各孔１８及びこれに対応する孔２０にボルト１６がそれぞれ挿通され、各ボルト１６にナット１７が螺合されることによって回転刃本体１と保護カバー２とは締結されている。なお、回転刃本体１と保護カバー２の連結方法は、これに限られるものではない。例えば、これに代えて、回転刃本体１と保護カバー２とは、接着材で接着されることによって連結されていてもよい。
【００３７】
そして、保護カバー２は、回転軸線Ｌ方向から見て、外周縁２ａの中心が回転軸線Ｌ上に位置するように回転刃本体１と締結されている。なお、保護カバー２は、回転軸線Ｌ方向から見て、保護カバー２の中心が本発明の目的を逸脱しない範囲内で実質的に回転軸線Ｌ上に位置するように回転刃本体１に取り付けられていればよい。
【００３８】
このように、回転刃本体１に取り付けられた保護カバー２は、各刃部１１を覆うように設けられている。
【００３９】
また、保護カバー２の外周縁２ａは、回転軸線Ｌと直交する方向において回転刃本体１よりも外側に位置する。本実施の形態において、保護カバー２は、外周縁２ａの径が回転刃本体１の径よりも大きい略１４ｃｍに形成されている。これによって、回転軸線Ｌ方向から見て、刃部１１の先端部１１ｂが保護カバー２の外周縁２ａから外側に突出しないようになっている。また、保護カバー２の内周縁２ｂの径は、略９ｃｍに形成されている。なお、保護カバー２の外周縁２ａ及び内周縁２ｂの径はこれに限られるものではない。
【００４０】
［使用例］
図４は、除草用回転刃１００を取り付けた刈払機１１０の使用例を示す図である。
【００４１】
除草用回転刃１００を装着した刈払機１１０を使用して水田の除草作業を行うときは、まず、原動機の駆動力によって除草用回転刃１００を回転させる。そして、図４に示すように、除草用回転刃１００が水平方向に沿う姿勢となるように刈払機１１０を支持する。
【００４２】
次に、除草用回転刃１００の回転刃本体１を水田の株間部分や条間部分に沈め、水田の泥土に刃１４を当てる。これによって、刃部１１が泥土を掻き、水田の泥土に生えている雑草を根から刈り取ることができる。このように、雑草の根を切るので、雑草が再び生えることを抑制することができる。また、刈り取られた雑草は、水面に向かって浮き上がり、根から養分を吸収することができず枯死する。
【００４３】
そして、保護カバー２は、各刃部１１を覆うように設けられているので、回転する除草用回転刃１００が水田の水及び泥土を跳ね上げることを防ぐことができる。更に、上述の通り、基部１０の下面に対する刃部１１の先端部１１ｂの高さ寸法は、略１５ｍｍに形成されている。これによって、水田の稲の根を切断することを防止すると共に、稲の根よりも浅い領域に位置する雑草の根を効率よく切断することができる。
【００４４】
次に、刈払機１１０を操作し、回転刃本体１を水平方向に動かす。この際、除草用回転刃１００と稲とが近づくと、保護カバー２の外周縁２ａと稲とが接触し、刃１４と稲との接近を保護カバー２の外周縁２ａが規制する。これによって、回転する刃１４が稲を傷つけることを防止している。
【００４５】
以上に説明したように、本考案の除草用回転刃１００の保護カバー２は、回転軸線Ｌ方向から見て、中心が回転軸線Ｌ上に位置する円形の外周縁を有し、且つ回転軸線Ｌと直交する方向において外周縁２ａが回転刃本体１よりも外側に位置している。したがって、水田の株間部分及び条間部分の泥土に生えている雑草の除草作業時に、刃部１１と稲との接近を保護カバー２の外周縁２ａが規制する。これによって、回転する刃部１１が稲を傷つけることを防止することができる。よって、水田の除草作業の作業効率を向上させることができる。
【００４６】
（実施の形態２）
図５は、本考案の実施の形態２に係る除草用回転刃２００を取り付けた刈払機１１０の先端部の構成例を示す一部破断側面図である。
【００４７】
図５に示すように、本実施の形態と上記実施の形態１とは、除草用回転刃の保護カバーの構成において相違する。
【００４８】
本実施の形態において、除草用回転刃２００の保護カバー１０２は、シルクハット状に形成されている。すなわち、保護カバー１０２は、回転軸線Ｌの延在方向に延在する円筒部１０３と、円筒部１０３の上端を閉鎖するように形成されている上壁部１０４と、回転軸線Ｌと直交する方向において、円筒部１０３の下端部から外側に突出する鍔部１０５とを備える。
【００４９】
上壁部１０４には、その中心部に孔１０６が形成されている。孔１０６は、上記刈払機１１０のボルト１１６が挿通される孔である。すなわち、上記実施の形態１の除草用回転刃１００は、基部１０が上面側カバー１１４及び下面側カバー１１５に挟まれた状態で装着軸１１３に固着されるのに対し、本実施の形態の除草用回転刃２００は、保護カバー１０２の上壁部１０４が上面側カバー１１４及び下面側カバー１１５に挟まれた状態で装着軸１１３に固着される。
【００５０】
鍔部１０５の外周縁１０５ａは円形に形成されている。これによって、外周縁１０５ａに当接した稲がこの外周縁１０５ａに引っ掛からないようになっている。
【００５１】
そして、鍔部１０５に、鍔部１０５の上面と下面とを連結する孔１２０が形成されている。孔１２０は、回転刃本体１の孔１８に対応する位置に形成されている。そして、回転刃本体１の孔１８及び保護カバー１０２の孔１２０にボルト１６が挿通され、このボルト１６にナット１７が螺合されることによって回転刃本体１と保護カバー１０２とは締結されている。
【００５２】
このように、上壁部１０４は、回転刃本体１よりも上方に位置するように構成されている。したがって、除草用回転刃２００を刈払機１１０に取り付けた状態において、上面側カバー１１４，下面側カバー１１５及びボルト１１６は、回転刃本体１の上方に、回転軸線Ｌ方向において回転刃本体１と離間して配設される。したがって、使用時において、上面側カバー１１４，下面側カバー１１５及びボルト１１６が水に浸からないように構成されている。これによって、ギヤケース１１１に水や泥土が侵入することを防止することができる。よって、刈払機１１０の故障を防止することができる。
【００５３】
（実施の形態３）
図６は、本考案の実施の形態３に係る除草用回転刃３００を取り付けた刈払機１１０の先端部の構成例を示す一部破断分解側面図である。図７は、除草用回転刃３００の構成例を示す底面図である。
【００５４】
上記実施の形態において除草用回転刃１００は、ステンレス製であったが、図６に示すように、本実施の形態の係る除草用回転刃３００の回転刃本体３０１は、鋼板製であり、焼入による硬化処理が施されている。
【００５５】
そして、上記実施の形態において回転刃本体１の径は、略１３ｃｍに形成されていたが、本実施の形態において、回転刃本体３０１の径は、略１２ｃｍに形成されている。
【００５６】
また、上記実施の形態において回転刃本体１は６個の刃部１１を有していたが、図７に示すように、本実施の形態において、回転刃本体３０１は、５個の刃部３１１を有する。
【００５７】
更に、上記実施の形態において保護カバー３０２は、回転刃本体３０１の上面全体を覆うように形成されている。すなわち、上記実施の形態において、保護カバー２の内周縁の径は孔１２の径よりも大きく形成され、回転刃本体１の上面が露出するように構成されていた。これに対し、本実施の形態において、保護カバー３０２の内周縁３０２ｂの径は、回転刃本体３０１の孔１２の径と略同一に形成され、回転刃本体３０１の上面が保護カバー３０２によって覆われるように構成されている。
【００５８】
また、上記実施の形態において、保護カバー２の径は、略１４ｃｍに形成されているが、本実施の形態において保護カバー３０２の径は、略１３ｃｍに形成されている。
【００５９】
また、上記実施の形態において、回転刃本体１と保護カバー２とは、孔１８及び孔２０に挿通されたボルト１６とナット１７とを螺合することによって締結されている。しかし、本実施の形態において、回転刃本体３０１と保護カバー３０２とは接着剤によって接着されている。そして、本実施の形態において、保護カバー３０２は、下面から下側に突出するように形成された複数のボス３２０を有する。回転刃本体３０１と保護カバー３０２とが接着された状態において、これら複数のボス３２０は、回転刃本体３０１の上面と下面とを接続するように形成された複数の孔３１８に挿通されている。これによって、回転刃本体３０１と保護カバー３０２とが接着面の延在方向に相対的に動くことを阻止している。
【００６０】
更に、本実施の形態において、除草用回転刃３００は、鋼板製の環状に形成された上面カバー３３０を更に備える。この上面カバー３３０は、保護カバー３０２の上面に接着されている。上面カバー３３０は、除草用回転刃３００を刈払機１１０に取り付けた状態において、上面側カバー１１４と保護カバー３０２との間に介在するように位置し、上面側カバー１１４と保護カバー３０２とが直接接触しないようになっている。したがって、使用時において上面側カバー１１４と樹脂製の保護カバー３０２とが擦れることによって、保護カバー３０２が傷つくことを防止することができる。  上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００６１】
本考案の除草用回転刃は、水田の除草作業に有用である。
【符号の説明】
【００６２】
１  回転刃本体
２  保護カバー
２ａ  外周縁
２ｂ  内周縁
１０  基部
１１  刃部
１１ａ  基端部
１１ｂ  先端部
１２  孔
１４  刃
１５  凸部
１００  除草用回転刃
【図１】
0003184608.tif 000003
【図２】
0003184608.tif 000004
【図３】
0003184608.tif 000005
【図４】
0003184608.tif 000006
【図５】
0003184608.tif 000007
【図６】
0003184608.tif 000008
【図７】
0003184608.tif 000009